(57)【特許請求の範囲】
【請求項１】
主体及び前記主体の中に設置された操作空間を含み、前記操作空間の中にはスライド基台がスライドできるように設置され、前記スライド基台の底壁の中には空き空間が設置され、前記操作空間の後側端壁の中にはスライド空間が設置され、前記スライド空間の中には右側末端が前記空き空間の中に伸びた持ち上げ基台が上下方向に移動できるように設置され、前記スライド基台は動力無しの基台であり、前記持ち上げ基台は持ち上げ装置の作用によって上下方向に移動することで前記スライド基台を上下方向に移動連動させ、同時に前記持ち上げ基台は単独に上下に移動でき、
前記持ち上げ基台の中には伝動空間が設置され、前記伝動空間の中にはロック装置が設置され、前記ロック装置は前記操作空間の左右端壁の中に形成されて対向的に開口したロック溝を含み、前記空き空間の左右端壁の中には第一スライドガイド溝が形成され、前記第一スライドガイド溝の中には第一磁石がスライドできるように設置され、前記持ち上げ基台の左右端壁の中には第二スライドガイド溝が形成され、前記第二スライドガイド溝の中にはスライド板がスライドできるように設置され、前記スライド板の末端には前記第一磁石と吸引し合う第二磁石が固定的に設置され、前記第一磁石は前記スライド基台と前記持ち上げ基台とをロックでき、前記第一磁石はまた前記スライド基台を左右二つの前記ロック溝の間にロックでき、
前記主体の底壁の中には移動装置が設置され、前記移動装置は前記主体を移動連動させることができ、それによって設備の便利さを高め、前記伝動空間の底壁の中には切換空間が設置され、前記切換空間の中には切換装置が設置され、それによって前記移動装置と前記ロック装置との動力を切り替えることができ、
前記持ち上げ装置は前記持ち上げ基台の中に設置されて上下に貫通した第一ネジ穴を含み、前記第一ネジ穴の中には第一ネジロッドがネジ山によって連結され、前記第一ネジロッドの底部末端が前記スライド空間の底壁の中に回転できるように設置され、前記第一ネジロッドの頂部末端と前記スライド空間の頂壁の中に固定的に設置された第一モーターとが動力が伝達できるように連結され、
前記ロック装置は前記スライド板の中に設置された第二ネジ穴を含み、前記第二ネジ穴の中には第二ネジロッドがネジ山によって連結され、前記第二ネジロッドの末端が前記伝動空間の中に伸び、且つ前記第二ネジロッドの末端には第一傘歯車が固定的に設置され、前記伝動空間と前記切換空間との間には第一回転軸が回転できるように設置され、前記伝動空間の中の前記第一回転軸の末端には前記第一傘歯車と噛み合った第二傘歯車が固定的に設置され、前記切換空間の中の前記第一回転軸の末端には第一スプラインスリーブが固定的に設置され、前記第一スプラインスリーブの中にはスプライン穴が設置され、
前記移動装置は前記主体の底壁の中に設置されたウォームホイール空間を含み、前記ウォームホイール空間の中には左右方向に伸びる第二回転軸が回転できるように設置され、前記第二回転軸の左右両側末端が前記主体の外部に伸び、且つ前記第二回転軸の左右両側末端には駆動車が固定的に設置され、前記ウォームホイール空間の中の前記第二回転軸の外表面にはウォームホイールが固定的に設置され、前記操作空間の底壁の中には上方に開口した凹溝が形成され、前記凹溝と前記ウォームホイール空間との間には前記ウォームホイールと噛み合ったウォームが回転できるように設置され、前記凹溝の中の前記ウォームホイールの末端には第二スプラインスリーブが固定的に設置され、前記第二スプラインスリーブの中には上方に開口した第二スプライン穴が設置され、前記主体の左右端壁には前記駆動車の左側に位置している転向車が回転できるように設置され、
前記切換装置は前記切換空間の中には上下方向にスライドできるように設置された固定ブロックを含み、前記固定ブロックの左右端壁には第一ラックが設置され、前記固定ブロックの中には第二モーターが固定的に設置され、前記第二モーターの出力軸末端にはスプライン軸が固定的に設置され、且つ前記スプライン軸の底部末端が前記第二スプライン穴の中に伸び、前記持ち上げ基台の底壁の中には前記切換空間の左右両側に位置している第三スライドガイド溝が形成され、前記第三スライドガイド溝の中には第二ラックがスライドできるように設置され、前記第二ラックと前記第三スライドガイド溝の端壁との間には復帰装置が設置され、前記第三スライドガイド溝と前記切換空間との間には歯車空間が連通するように設置され、前記歯車空間の中には前記第一ラック及び前記第二ラックと噛み合った歯車が回転できるように設置され、
前記持ち上げ基台が上方に移動して前記第二ラックは当接を失って下方に移動し、それによって前記固定ブロックを上方に移動連動させ、それによって前記スプライン軸を連動させて前記第二スプラインスリーブから離脱させ、前記スプライン軸の頂部末端が前記第一スプライン穴の中に伸び、前記第二モーターを始動して回転させ、それによって前記スプライン軸を回転連動させ、それによって前記第一スプラインスリーブを回転連動させ、それによって前記第一回転軸を回転連動させ、それによって前記第二傘歯車を回転連動させ、それによって前記第一傘歯車を回転連動させ、それによって前記第二ネジロッドを回転連動させ、それによって前記スライド板を右方に移動連動させ、それによって前記第二磁石を連動させて前記第一磁石を押し動かし、前記第一磁石が移動して前記ロック溝の中に伸びることを特徴とする室内塗料塗装用の足場。
【請求項２】
前記空き空間の頂壁の中には抜き穴が設置され、前記抜き穴の左右端壁には回転できる閉鎖ドアが対称的に設置され、前記閉鎖ドアと前記抜き穴の端壁との間には復帰バネが設置されていることを特徴とする請求項１に記載の室内塗料塗装用の足場。
【請求項３】
前記主体の頂壁には第一欄干が固定的に設置され、前記スライド基台の頂壁には第二欄干が固定的に設置されていることを特徴とする請求項１に記載の室内塗料塗装用の足場。
【発明の詳細な説明】
【技術分野】
【０００１】
本発明は建築の付帯工事分野に関わり、具体的には室内塗料塗装用の足場である。  
【背景技術】
【０００２】
現在、室内で付帯工事を行う時に、頂部は高いため、塗装時に足場の補助が必要であり、伝統的な足場は自動的に移動できなく、且つ梯子を利用しなければ上下に移動できなく、操作は不便であり、また伝統的な足場は使用される時に、作業員は繰り返して上って降りることで、塗料を補充する必要があり、それで塗装時に作業効率は低く、作業員を有利に補助できなく、従って室内塗料塗装用の足場をデザインして上記の問題を改善する必要がある。
【先行技術文献】
【特許文献】
【０００３】
【特許文献１】中国特許出願公開第１０４３８９４１５号明細書
【発明の概要】
【発明が解決しようとする課題】
【０００４】
本発明は室内塗料塗装用の足場を提供し、既存技術にある上記欠点を解消し、設備の実用性を高める。
【課題を解決するための手段】
【０００５】
本発明は上記の技術的な問題を解決する技術プランは下記の通りである。本発明の室内塗料塗装用の足場は主体及び前記主体の中に設置された操作空間を含み、前記操作空間の中にはスライド基台がスライドできるように設置され、前記スライド基台の底壁の中には空き空間が設置され、前記操作空間の後側端壁の中にはスライド空間が設置され、前記スライド空間の中には右側末端が前記空き空間の中に伸びた持ち上げ基台が上下方向に移動できるように設置され、前記スライド基台は動力無しの基台であり、前記持ち上げ基台は持ち上げ装置の作用によって上下方向に移動することで前記スライド基台を上下方向に移動連動させ、同時に前記持ち上げ基台は単独に上下に移動できる。
【０００６】
前記持ち上げ基台の中には伝動空間が設置され、前記伝動空間の中にはロック装置が設置され、前記ロック装置は前記操作空間の左右端壁の中に形成されて対向的に開口したロック溝を含み、前記空き空間の左右端壁の中には第一スライドガイド溝が形成され、前記第一スライドガイド溝の中には第一磁石がスライドできるように設置され、前記持ち上げ基台の左右端壁の中には第二スライドガイド溝が形成され、前記第二スライドガイド溝の中にはスライド板がスライドできるように設置され、前記スライド板の末端には前記第一磁石と吸引し合う第二磁石が固定的に設置され、前記第一磁石は前記スライド基台と前記持ち上げ基台とをロックでき、前記第一磁石はまた前記スライド基台を左右二つの前記ロック溝の間にロックできる。
【０００７】
前記主体の底壁の中には移動装置が設置され、前記移動装置は前記主体を移動連動させることができ、それによって設備の便利さを高め、前記伝動空間の底壁の中には切換空間が設置され、前記切換空間の中には切換装置が設置され、それによって前記移動装置と前記ロック装置との動力を切り替えることができる。
【０００８】
さらに、前記持ち上げ装置は前記持ち上げ基台の中に設置されて上下に貫通した第一ネジ穴を含み、前記第一ネジ穴の中には第一ネジロッドがネジ山によって連結され、前記第一ネジロッドの底部末端が前記スライド空間の底壁の中に回転できるように設置され、前記第一ネジロッドの頂部末端と前記スライド空間の頂壁の中に固定的に設置された第一モーターとが動力が伝達できるように連結されている。
【０００９】
さらに、前記ロック装置は前記スライド板の中に設置された第二ネジ穴を含み、前記第二ネジ穴の中には第二ネジロッドがネジ山によって連結され、前記第二ネジロッドの末端が前記伝動空間の中に伸び、且つ前記第二ネジロッドの末端には第一傘歯車が固定的に設置され、前記伝動空間と前記切換空間との間には第一回転軸が回転できるように設置され、前記伝動空間の中の前記第一回転軸の末端には前記第一傘歯車と噛み合った第二傘歯車が固定的に設置され、前記切換空間の中の前記第一回転軸の末端には第一スプラインスリーブが固定的に設置され、前記第一スプラインスリーブの中にはスプライン穴が設置されている。
【００１０】
さらに、前記移動装置は前記主体の底壁の中に設置されたウォームホイール空間を含み、前記ウォームホイール空間の中には左右方向に伸びる第二回転軸が回転できるように設置され、前記第二回転軸の左右両側末端が前記主体の外部に伸び、且つ前記第二回転軸の左右両側末端には駆動車が固定的に設置され、前記ウォームホイール空間の中の前記第二回転軸の外表面にはウォームホイールが固定的に設置され、前記操作空間の底壁の中には上方に開口した凹溝が形成され、前記凹溝と前記ウォームホイール空間との間には前記ウォームホイールと噛み合ったウォームが回転できるように設置され、前記凹溝の中の前記ウォームホイールの末端には第二スプラインスリーブが固定的に設置され、前記第二スプラインスリーブの中には上方に開口した第二スプライン穴が設置され、前記主体の左右端壁には前記駆動車の左側に位置している転向車が回転できるように設置されている。
【００１１】
さらに、前記切換装置は前記切換空間の中には上下方向にスライドできるように設置された固定ブロックを含み、前記固定ブロックの左右端壁には第一ラックが設置され、前記固定ブロックの中には第二モーターが固定的に設置され、前記第二モーターの出力軸末端にはスプライン軸が固定的に設置され、且つ前記スプライン軸の底部末端が前記第二スプライン穴の中に伸び、前記持ち上げ基台の底壁の中には前記切換空間の左右両側に位置している第三スライドガイド溝が形成され、前記第三スライドガイド溝の中には第二ラックがスライドできるように設置され、前記第二ラックと前記第三スライドガイド溝の端壁との間には復帰装置が設置され、前記第三スライドガイド溝と前記切換空間との間には歯車空間が連通するように設置され、前記歯車空間の中には前記第一ラック及び前記第二ラックと噛み合った歯車が回転できるように設置されている。
【００１２】
さらに、前記空き空間の頂壁の中には抜き穴が設置され、前記抜き穴の左右端壁には回転できる閉鎖ドアが対称的に設置され、前記閉鎖ドアと前記抜き穴の端壁との間には復帰バネが設置されている。
【００１３】
さらに、前記主体の頂壁には第一欄干が固定的に設置され、前記スライド基台の頂壁には第二欄干が固定的に設置されている。
【発明の効果】
【００１４】
本発明の有益な効果は：本発明の室内塗料塗装用の足場は、室内で塗装する時に需要の高さに到達することを補助でき、設備は自動的に作業員の上昇と下降を連動させることができ、同時に人は設備の上方に位置する時に塗料を貯蔵している容器を単独に上下方向へ移動連動させ、それによって塗料の補充を実現し、本発明の足場は自動的に移動でき、移動と塗料補充の時に従業員は足場を上り又は降りることを省き、作業効率を高め、設備の頂部に欄干を設置することで、より安全で、安定性も良くなり、生産と普及に便利を与える。
【図面の簡単な説明】
【００１５】
説明しやすいために、本発明を下記の具体的な実施例及び附図をもって詳しく説明する。下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の室内塗料塗装用の足場の全体構成概略図
【図２】図２は図１の中のＡ―Ａの構成概略図
【図３】図３は図１のＢの拡大構成概略図
【図４】図４は図２のＣの拡大構成概略図
【図５】図５は図１の平面図
【発明を実施するための形態】
【００１７】
附図１〜５に記載の室内塗料塗装用の足場を参照し、本発明の室内塗料塗装用の足場は主体１０及び前記主体１０の中に設置された操作空間１２を含み、前記操作空間１２の中にはスライド基台１５がスライドできるように設置され、前記スライド基台１５の底壁の中には空き空間１８が設置され、前記操作空間１２の後側端壁の中にはスライド空間３０が設置され、前記スライド空間３０の中には右側末端が前記空き空間１８の中に伸びた持ち上げ基台２１が上下方向に移動できるように設置され、前記スライド基台１５は動力無しの基台であり、前記持ち上げ基台２１は持ち上げ装置２００の作用によって上下方向に移動することで前記スライド基台１５を上下方向に移動連動させ、同時に前記持ち上げ基台２１は単独に上下に移動できる。
【００１８】
前記持ち上げ基台２１の中には伝動空間５９が設置され、前記伝動空間５９の中にはロック装置３００が設置され、前記ロック装置３００は前記操作空間１２の左右端壁の中に形成されて対向的に開口したロック溝１１を含み、前記空き空間１８の左右端壁の中には第一スライドガイド溝１６が形成され、前記第一スライドガイド溝１６の中には第一磁石１７がスライドできるように設置され、前記持ち上げ基台２１の左右端壁の中には第二スライドガイド溝２３が形成され、前記第二スライドガイド溝２３の中にはスライド板２４がスライドできるように設置され、前記スライド板２４の末端には前記第一磁石１７と吸引し合う第二磁石２５が固定的に設置され、前記第一磁石１７は前記スライド基台１５と前記持ち上げ基台２１とをロックでき、前記第一磁石１７はまた前記スライド基台１５を左右二つの前記ロック溝１１の間にロックできる。
【００１９】
前記主体１０の底壁の中には移動装置４００が設置され、前記移動装置４００は前記主体１０を移動連動させることができ、それによって設備の便利さを高め、前記伝動空間５９の底壁の中には切換空間５１が設置され、前記切換空間５１の中には切換装置５００が設置され、それによって前記移動装置４００と前記ロック装置３００との動力を切り替えることができる。
【００２０】
有益なように、前記持ち上げ装置２００は前記持ち上げ基台２１の中に設置されて上下に貫通した第一ネジ穴３２を含み、前記第一ネジ穴３２の中には第一ネジロッド２８がネジ山によって連結され、前記第一ネジロッド２８の底部末端が前記スライド空間３０の底壁の中に回転できるように設置され、前記第一ネジロッド２８の頂部末端と前記スライド空間３０の頂壁の中に固定的に設置された第一モーター２９とが動力が伝達できるように連結されている。
【００２１】
有益なように、前記ロック装置３００は前記スライド板２４の中に設置された第二ネジ穴５５を含み、前記第二ネジ穴５５の中には第二ネジロッド５３がネジ山によって連結され、前記第二ネジロッド５３の末端が前記伝動空間５９の中に伸び、且つ前記第二ネジロッド５３の末端には第一傘歯車５４が固定的に設置され、前記伝動空間５９と前記切換空間５１との間には第一回転軸３５が回転できるように設置され、前記伝動空間５９の中の前記第一回転軸３５の末端には前記第一傘歯車５４と噛み合った第二傘歯車６０が固定的に設置され、前記切換空間５１の中の前記第一回転軸３５の末端には第一スプラインスリーブ３６が固定的に設置され、前記第一スプラインスリーブ３６の中にはスプライン穴３７が設置されている。
【００２２】
有益なように、前記移動装置４００は前記主体１０の底壁の中に設置されたウォームホイール空間６６を含み、前記ウォームホイール空間６６の中には左右方向に伸びる第二回転軸６４が回転できるように設置され、前記第二回転軸６４の左右両側末端が前記主体１０の外部に伸び、且つ前記第二回転軸６４の左右両側末端には駆動車２６が固定的に設置され、前記ウォームホイール空間６６の中の前記第二回転軸６４の外表面にはウォームホイール６５が固定的に設置され、前記操作空間１２の底壁の中には上方に開口した凹溝６１が形成され、前記凹溝６１と前記ウォームホイール空間６６との間には前記ウォームホイール６５と噛み合ったウォーム６２が回転できるように設置され、前記凹溝６１の中の前記ウォームホイール６５の末端には第二スプラインスリーブ４７が固定的に設置され、前記第二スプラインスリーブ４７の中には上方に開口した第二スプライン穴６３が設置され、前記主体１０の左右端壁には前記駆動車２６の左側に位置している転向車３３が回転できるように設置されている。
【００２３】
有益なように、前記切換装置５００は前記切換空間５１の中には上下方向にスライドできるように設置された固定ブロック４６を含み、前記固定ブロック４６の左右端壁には第一ラック４４が設置され、前記固定ブロック４６の中には第二モーター４５が固定的に設置され、前記第二モーター４５の出力軸末端にはスプライン軸４８が固定的に設置され、且つ前記スプライン軸４８の底部末端が前記第二スプライン穴６３の中に伸び、前記持ち上げ基台２１の底壁の中には前記切換空間５１の左右両側に位置している第三スライドガイド溝４１が形成され、前記第三スライドガイド溝４１の中には第二ラック４０がスライドできるように設置され、前記第二ラック４０と前記第三スライドガイド溝４１の端壁との間には復帰装置３９が設置され、前記第三スライドガイド溝４１と前記切換空間５１との間には歯車空間４９が連通するように設置され、前記歯車空間４９の中には前記第一ラック４４及び前記第二ラック４０と噛み合った歯車５０が回転できるように設置されている。
【００２４】
有益なように、前記空き空間１８の頂壁の中には抜き穴２２が設置され、前記抜き穴２２の左右端壁には回転できる閉鎖ドア２０が対称的に設置され、前記閉鎖ドア２０と前記抜き穴２２の端壁との間には復帰バネ１３が設置されている。
【００２５】
有益なように、前記主体１０の頂壁には第一欄干１９が固定的に設置され、前記スライド基台１５の頂壁には第二欄干３４が固定的に設置されている。
【００２６】
本実施例に記載の固定連結方法はボルト固定や溶接などの方法を含むが、これに限定されるものではない。
【００２７】
装置全体の作動手順は下記の通りである。
【００２８】
１、本発明の設備は作動する時、前記第二モーター４５を始動して回転させ、それによって前記第二スプラインスリーブ４７を回転連動させ、それによって前記ウォーム６２を回転連動させ、それによって前記ウォームホイール６５を回転連動させ、それによって前記駆動車２６を回転連動させて前記転向車３３と作動し合わせ、設備を塗料の塗装が必要な壁体の片側に移動させる。
【００２９】
２、この時、塗装する人は前記スライド基台１５の上方に立ち、前記第一モーター２９を始動して回転させ、それによって前記第一ネジロッド２８を回転連動させ、それによって前記持ち上げ基台２１を上方に移動連動させ、前記持ち上げ基台２１が上方に移動することで前記スライド基台１５を上方に移動連動させ、それによって前記持ち上げ基台２１を上方に移動連動させ、この時、塗装する人はスライド基台１５とともに上方に移動し、前記持ち上げ基台２１が上方に移動して前記第二ラック４０は当接を失って下方に移動し、それによって前記固定ブロック４６を上方に移動連動させ、それによって前記スプライン軸４８を連動させて前記第二スプラインスリーブ４７から離脱させ、前記スプライン軸４８の頂部末端が前記第一スプライン穴３７の中に伸びる。
【００３０】
３、前記スライド基台１５が上方に移動して前記操作空間１２の一番上側に到達して前記第一スライドガイド溝１６を前記ロック溝１１と位置合わせた時、前記第二モーター４５を始動して回転させ、それによって前記スプライン軸４８を回転連動させ、それによって前記第一スプラインスリーブ３７を回転連動させ、それによって前記第一回転軸３５を回転連動させ、それによって前記第二傘歯車６０を回転連動させ、それによって前記第一傘歯車５４を回転連動させ、それによって前記第二ネジロッド５３を回転連動させ、それによって前記スライド板２４を右方に移動連動させ、それによって前記第二磁石２５を連動させて前記第一磁石２４を押し動かし、前記第一磁石２４が移動して前記ロック溝１１の中に伸び、この時、前記スライド基台１５と前記持ち上げ基台２１とが分離し、この時、前記作業員が前記主体１０の頂部に操作を行うことは便利になる。
【００３１】
４、塗料使用完了後、前記第一モーター２９を始動して回転させ、それによって前記第一ネジロッド２８を回転連動させ、それによって前記持ち上げ基台２１を下方に移動連動させ、この時、前記スライド基台１５は前記ロック溝１１にロックされることで、前記スライド基台１５は下方に移動しなく、前記持ち上げ基台２１は下方へ底部まで移動する時、前記固定ブロック４６は前記操作空間１２の底壁の作用の下で下方に移動復帰し、この時、塗料がある桶を前記持ち上げ基台２１の上方に置き、それと同時に前記固定ブロック４６が復帰したため、前記第二モーター４５を始動し、それによって前記主体１０を移動連動させることができ、この時、前記第一モーター２９を逆方向に回転するように始動し、それによって前記第一ネジロッド２８が逆方向に回転し、それによって前記持ち上げ基台２１が上方に移動し、それによって塗料を貯蔵している桶は上方に移動し、前記桶と前記閉鎖ドア２０とが当接した時、前記閉鎖ドア２０は回転して開けられ、この時に塗装する人の使用に便利を与える。
【００３２】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】
【課題】本発明は室内塗料塗装用の足場を開示した。
【解決手段】
主体及び前記主体の中に設置された操作空間を含み、本発明の室内塗料塗装用の足場は、室内で塗装する時に需要の高さに到達することを補助でき、設備は自動的に作業員の上昇と下降を連動させることができ、同時に人は設備の上方に位置する時に塗料を貯蔵している容器を単独に上下方向へ移動連動させ、それによって塗料の補充を実現し、本発明の足場は自動的に移動でき、移動と塗料補充の時に従業員は足場を上り又は降りることを省き、作業効率を高め、設備の頂部に欄干を設置することで、より安全で、安定性も良くなり、生産と普及に便利を与える。
【選択図】図１【図１】
0006784898.tif 000002
【図２】
0006784898.tif 000003
【図３】
0006784898.tif 000004
【図４】
0006784898.tif 000005
【図５】
0006784898.tif 000006